(57)【要約】【目的】安価にして操作部に良好な操作感触を付与できる多方向スイッチを提供する。【構成】多方向スイッチを、軸受部４と、軸受部４に揺動自在に支持された操作軸３と、操作軸３の揺動操作に所要の操作感触を付与するカム部１５ｃとを含んで構成する。カム部１５ｃには、操作軸３を非操作位置に保持する球面状の底部４１と、底部４１の外周に放射状に形成された第１傾斜面４２，４３，４４，４５と、第１傾斜面の外周に放射状に形成された第２傾斜面４６，４７，４８，４９とを形成し、第１傾斜面と第２傾斜面との境界部分には、山型の段部５０，５１，５２，５３を形成する。【選択図】      図２
2005044582.tif 000002
【特許請求の範囲】
【請求項１】
軸受部と、当該軸受部に揺動自在に支持された操作軸と、当該操作軸の操作に所要の操作感触を付与するカム部とを備え、
前記操作軸の先端部には、前記操作軸の軸線方向に往復移動するアクチュエータと、当該アクチュエータを常時一方向に付勢する弾性部材とを設け、
前記カム部には、前記アクチュエータを介して前記操作軸を非操作位置に保持する球面状の底部と、当該底部の外周に放射状に形成された複数の第１傾斜面と、当該第１傾斜面の外周に放射状に形成された前記第１傾斜面の傾斜角度よりも傾斜角度が小さい複数の第２傾斜面とを形成し、前記第１傾斜面と前記第２傾斜面との境界部分に山型の段部を設けたことを特徴とする多方向スイッチ。
【請求項２】
前記操作軸は、前記軸受部に揺動自在かつ回転自在に支持されていることを特徴とする請求項１に記載の多方向スイッチ。
【発明の詳細な説明】
【０００１】
【発明の属する技術分野】
本発明は、車載用パワーミラー装置などに使用される多方向スイッチに係り、特に、操作軸の操作に所要の操作感触を付与する手段に関する。
【０００２】
【従来の技術】
一般に、多方向スイッチの操作部にクリック感触などの操作感触を付与する手段としては、金属板よりなるドーム状の可動接点を操作部にて弾性変形させ、可動接点が弾性変形する際の感触を操作部に伝達するもの（特許文献１参照。）及び該可動接点に代えてラバーシートの中空突部に備えられた可動接点を操作部にて弾性変形させ、中空突部が弾性変形する際の感触を操作部に伝達するものなどが従来より知られている。
【０００３】
【特許文献１】
特開２００２−１７０４６１（図１、図２）
【０００４】
【発明が解決しようとする課題】
前記各手段のうち、金属板よりなるドーム状の可動接点を操作部にて弾性変形させるもの及びシーソー形の可動接点に操作部を弾接するものは、所要数の可動接点を所定の設定箇所に１つずつ設定しなくてはならないので、スイッチの組立に多大の工数を要し、製品であるスイッチが高コスト化するという問題がある。
【０００５】
これに対して、ラバーシートに形成された中空突部を操作部にて弾性変形させるものは、所要数の中空突部が所定の配列で一体に形成されたラバーシートを所定の位置に組み込むだけで全ての感触付与手段（中空突部）の設定を１度に完了できるので、上記他の方式よりもスイッチの組立を効率化でき、製品であるスイッチの低コスト化を図ることができる。
【０００６】
しかしながら、ラバーシートは、比較的大きな金型を使用する金型成形によって作製されるので、クリックフィーリングの調整を行う場合には、複数の中空突部について金型を改修せざるを得ず、高額の金型改修費用が必要となって、スイッチの製造コストを十分に低下することができない。
【０００７】
本発明は、かかる従来技術の不備を解消するためになされたものであって、その課題とするところは、安価にして操作部に良好な操作感触を付与できる多方向スイッチを提供することにある。
【０００８】
【課題を解決するための手段】
本発明は、前記の課題を解決するため、多方向スイッチを、軸受部と、当該軸受部に揺動自在に支持された操作軸と、当該操作軸の操作に所要の操作感触を付与するカム部とを備え、前記操作軸の先端部には、前記操作軸の軸線方向に往復移動するアクチュエータと、当該アクチュエータを常時一方向に付勢する弾性部材とを設け、前記カム部には、前記アクチュエータを介して前記操作軸を非操作位置に保持する球面状の底部と、当該底部の外周に放射状に形成された複数の第１傾斜面と、当該第１傾斜面の外周に放射状に形成された前記第１傾斜面の傾斜角度よりも傾斜角度が小さい複数の第２傾斜面とを形成し、前記第１傾斜面と前記第２傾斜面との境界部分に山型の段部を設けるという構成にした。
【０００９】
かかる構成によると、アクチュエータがカム部の底部に当接されている状態から操作軸を一方向に揺動すると、カム部の底部に当接されていたアクチュエータが操作軸の揺動方向に対応する所定の第１傾斜面に沿って上方に移動して行き、次いで山型の段部を越えて第２傾斜面に至るので、山型の段部を越える段階で操作軸にクリック感触を付与することができる。そして、１つのカム部を所定の位置に組み込むだけで全ての感触付与手段（山型の段部）の設定を１度に完了できるので、多方向スイッチの組立を効率的に行うことができ、多方向スイッチの組立コストを低減することができる。また、この種のカム部の成形は、クリックフィーリングの調整を行う際の金型の改修が容易であり、金型コストの低減も図ることができる。さらに、改修部を入れ子方式とすれば、金型形状を元に戻すことも容易に行える。したがって、従来の各方式に比べて、製品である多方向スイッチの格段のコスト低減を図ることができる。
【００１０】
また、本発明は、前記構成の多方向スイッチにおいて、前記操作軸は、前記軸受部に揺動自在かつ回転自在に支持されているという構成にした。本発明では、多方向スイッチの揺動時のクリックフィーリングを上記のようなカム部とアクチュエータとの組合せによって実現しているが、アクチュエータの当接部を球状にすることにより、操作軸は回転も可能になる。
【００１１】
このように、操作軸を軸受部に揺動自在かつ回転自在に支持すると、操作軸の揺動操作のみならず、操作軸の回転操作によっても接点の切替操作を行うことができるので、多方向スイッチのより一層の多機能化を図ることができる。
【００１２】
【発明の実施の形態】
以下、本発明に係る多方向スイッチの実施の一例を、自動車のサイドミラーの視角調節を電動で行うパワーミラー装置に適用した場合を例にとり、図１乃至図９に基づいて説明する。
【００１３】
図１は実施形態例に係る多方向スイッチの平面図、図２は図１のＡ−Ａ線に沿った断面図、図３は図１のＢ−Ｂ線に沿った断面図、図４は実施形態例に係る多方向スイッチの分解斜視図、図５は実施形態例に係る多方向スイッチに備えられる操作軸の各部の構成を示す説明図、図６は実施形態例に係る多方向スイッチに備えられる操作軸の機能を示す説明図、図７は実施形態例に係る多方向スイッチに備えられるカム部の平面図、図８は図７のＣ−Ｃ線に沿った断面図、図９は実施形態例に係る多方向スイッチの動作を示す説明図である。なお、図５の（ａ）は正面図、（ｂ）は平面図、（ｃ）は右側面図、（ｄ）は左側面図、（ｅ）はＤ−Ｄ線に沿った断面図、（ｆ）はＥ−Ｅ線に沿った断面図、（ｇ）はＦ−Ｆ線に沿った断面図、（ｈ）はＧ−Ｇ線に沿った断面図である。
【００１４】
図１から明らかなように、本例の多方向スイッチは、ノブ１と、ケース２と、操作軸３と、当該操作軸３を揺動可能かつ回転可能に保持する軸受部４と、当該軸受部４に一端を保持されたコイルスプリング５と、コイルスプリング５によりケース２の内面に形成された節度部２ｃに押圧されるボール７と、前記操作軸３の下端に装着されるコイルスプリング８及びアクチュエータ９と、前記操作軸３の回転操作あるいは揺動操作によって駆動されるスライダ１０と、当該スライダー０に取り付けられる２つの可動接点１１及びコイルスプリング１２と、左右のミラー切り換え用固定接点及び視角調整用固定接点を含む所要の電気回路が形成された配線基板１３と、当該配線基板１３に接続される発光素子１４と、前記配線基板１３に電気的に接続される複数本のリード１５ａと前記スライダ１０の保持部１５ｂと前記操作軸３の操作に所要の操作感触を付与するカム部１５ｃとが備えられたウエハ１５とから主に構成されている。
【００１５】
ノブ１は、図１乃至図４に示すように、四角筒形の把持部１６を有し、当該把持部１６の上面には、当該多方向スイッチの操作方向と操作方向に応じた機能を表示するための透光性の絵文字１７が形成されている。これら両部はいずれも絶縁性の樹脂材料を用いて形成されている。把持部１６の内部には、操作軸３を嵌合可能な嵌合穴１８が形成され、当該嵌合穴１８の内周部には、操作軸３を係合するための係止爪１９が下向きに形成されている。
【００１６】
ケース２は、以下に説明する各部材を収納するものであって、絶縁性の樹脂材料を用いて下面が開放された箱状に形成されており、その上面部２ａには、図２及び図３に示すように、操作軸３を揺動可能に貫通する透孔２ｂが開設されている。また、この上面部２ａの内面には、図２に示すように、軸受部４に備えられたボール７を係合して、ノブ１の回転操作にクリック感を付与するための複数個（本実施例の場合、中立位置と、中立位置から右方向に４５度回転した右位置と、中立位置から左方向に４５度回転した左位置の３か所）の節度部２ｃが形成されている。さらに、ケース２の下端部には、図３及び図４に示すように、ウエハ１５を一体に係合するための複数個の係止孔２ｄが開設されている。
【００１７】
操作軸３は、ノブ１に加えられた力をケース２内に収納された各部材に伝達し、ノブ１の操作方向に応じて所要のスイッチ接点を選択的に切換操作するものであると共に、全体が透光性の材料にて成形されており、発光素子１４より出射された光を入射して前記ノブ１に形成された絵文字１７に導く導光体としても機能する。この操作軸３は、図３乃至図５に示すように、円柱部３１と角柱部３２とから構成されており、円柱部３１の上端部近傍には、ノブ１に形成された係止爪１９を係合し、ノブ１の脱落止めとなる係止段部３３と、ノブ１の嵌合穴１８内に形成された突部（図示を省略）が嵌め込まれ、ノブ１の回り止めとなる溝部３４とが形成されている。即ち、前記ノブ１は、溝部３４内に図示しない嵌合穴１８の突部を嵌め込み、かつ、係止爪１９の先端を係止段部３３に係合することによって、操作軸３と一体化されている。さらに、この円柱部３１と角柱部３２の間には、平面形状が多角形（本例では８角形）形状のフランジ部材３５が一体に成形されている。
【００１８】
一方、角柱部３２は、図５に示すように、下端部寄りに形成された小径角柱部３２ａと、上端部寄りに形成された大径角柱部３２ｂと、それらの間に形成された４角錐部３２ｃとから構成されている。
【００１９】
前記大径角柱部３２ｂの一部には、操作軸３の軸心（大径角柱部３２ｂの軸心と一致する。）に対して４５度の角度で傾斜し、内端が当該操作軸３の軸心上で大径角柱部３２ｂの下端と合致する円錐形状の反射面３６が切り欠かれている。この反射面３６に対向する大径角柱部３２ｂの各側面３２ｂ１が発光素子１４からの光の入射面であり、当該入射面から入射された光は、反射面３６で上方に反射され、ノブ１の絵文字部１７を照光する。
【００２０】
小径角柱部３２ａの下端部外面には、図５に示すように、スライダ１０を係合するための突条３７が突設されており、この突条３７を小径角柱部３２ａの先端部と共にスライダ１０に差し込むことにより、操作軸３の揺動操作に伴うスライダ１０のスライド動作と操作軸３の回転操作に伴うスライダ１０の回転動作を可能にする。また、当該小径角柱部３２ａの下端面には収納穴３８が形成され、この収納穴３８内にコイルスプリング８と当該コイルスプリング８によって常時操作軸３の軸線方向に付勢されるアクチュエータ９とが収納されている。前記アクチュエータ９の先端は、ウエハ１５の底面に設けられたカム部１５ｃにコイルスプリング８のばね力によって弾接され、その反力は、操作軸３のフランジ部３５が当接される軸受部４の受け部４ａによって受けられる。
【００２１】
軸受部４は、操作軸３のフランジ部３５を受けて操作軸３を揺動可能に保持すると共に、操作軸３と一体的に回転してスライダ１０を回転駆動ものであって、絶縁性の樹脂材料を用いて受け部４ａを有する円筒形に形成されている。受け部４ａには、操作軸３を揺動可能に貫通する透孔４ｂが開設されている。また、当該軸受部４の内面は、その平面形状が前記フランジ部３５を挿入可能な多角形（本例では８角形）に形成されている。したがって、前記操作軸３は軸受部４と独立に揺動可能であり、かつ前記操作軸３をその軸線回りに回転すると、フランジ部３５とともに軸受部４も一体的に回転する。また、この軸受部４の外面には、図３及び図４に示すように、節度用のコイルスプリング５とボール７を収納する収納穴４ｃが形成されている。また、後述する発光素子１４に対面する外面に透孔４ｄが形成されている。
【００２２】
スライダ１０は、操作軸３の揺動操作あるいは回転操作に連動して、操作軸３の揺動方向にスライド動作あるいは操作軸３の軸線回りに回転動作するものであって、絶縁性の樹脂材料を用いて平面形状が矩形の板状に形成されている。このスライダ１０は、図２乃至図４に示すように、その基板部１０ａの中央部に操作軸３の小径部３２を貫通する透孔１０ｂが開設されている。また、表面の長手方向両端部には、可動接点１１を装着するための合計２個の可動接点装着孔１０ｃと、コイルスプリング１２を装着するための合計２個のスプリング装着孔１０ｄとが形成されている。スプリング装着孔１０ｄは、一対の可動接点装着孔１０ｃの中央部に形成される。また、透孔１０ｂの内面には、前記操作軸３の突条３７に係合する凹溝１０ｅが形成されている。
【００２３】
可動接点１１は、例えばリン青銅等の弾性と導電性に優れた導電材料をもってコの字状に形成されている。
【００２４】
コイルスプリング１２は、可動接点１１を常時配線基板１３の裏面に押圧するものであって、スライダ１０に形成されたスプリング装着孔１０ｄ内に収納され、その上端が可動接点１１の裏面に当接される。
【００２５】
配線基板１３の表面側には前記可動接点１１によって切り換えられる左右ミラーの切換用固定接点（図示省略）と傾斜調節用固定接点（図示省略）が形成されている。また、当該配線基板１３には、図４に示すように、ウエハ１５に備えられたリードを挿入して当該配線基板１３に形成された導電パターンと電気的に接続するための複数個の透孔１３ａが開設されると共に、発光素子１４を電気的に接続するための透孔１３ｂが開設されている。
【００２６】
発光素子１４としては、小型にして長寿命であることから発光ダイオードが好適である。この発光素子１４は、図２及び図６に示すように、操作軸３の大径角柱部３２ｂに形成された反射面３６の反対側の側面（入射面）３２ｂ１に対向して配置される。
【００２７】
ウエハ１５は、前記の各種内蔵部品を保持すると共に、ノブ１を操作することによって得られたスイッチ信号を外部に導出するためのコネクタ機能を備えたものであって、絶縁性の樹脂材料を用いて形成されている。ウエハ１５の底面に設けられたカム部１５ｃは、図７及び図８に示すように、アクチュエータ９を介して操作軸３を非操作位置に保持する球面状の底部４１と、当該底部４１の外周に放射状に形成された複数（本実施形態例においては、４つ）の第１傾斜面４２，４３，４４，４５と、当該第１傾斜面４２，４３，４４，４５の外周に放射状に形成された第２傾斜面４６，４７，４８，４９とを有している。そして、第１傾斜面４２，４３，４４，４５の傾斜角度θ１よりも第２傾斜面４６，４７，４８，４９の傾斜角度θ２を小さくすることによって、第１傾斜面４２と第２傾斜面４６との間の境界部分、第１傾斜面４３と第２傾斜面４７との間の境界部分、第１傾斜面４４と第２傾斜面４８との間の境界部分及び第１傾斜面４５と第２傾斜面４９との間の境界部分に、それぞれ山型の段部５０，５１，５２，５３を形成してなる。
【００２８】
前記第１傾斜面４２，４３，４４，４５の隣り合うそれぞれの境界には突部６０，６１，６３，６４が形成されており、従って、前記第１傾斜面４２，４３，４４，４５は円周方向において凹部となっており、前記アクチュエータ９の先端は当該凹部に沿って案内され、不所望の中間方向への移動を規制されている。また、前記第２傾斜面４６，４７，４８，４９の隣り合うそれぞれの境界には突部７０，７１，７３，７４が形成されており、従って、前記第２傾斜面４６，４７，４８，４９は円周方向において凹部となっており、前記アクチュエータ９の先端は当該凹部に沿って案内され、不所望の中間方向への移動を規制されている。
【００２９】
以下、前記のように構成された本実施形態例に係る多方向スイッチの動作について説明する。
【００３０】
ノブ１が非操作状態にある場合、図９（ａ）に示すように、カム部１５ｃの底部４１にアクチュエータ９の先端部が弾接され、操作軸３が垂直状態に保持されている。このとき、左右ミラーの視角調整用スイッチは、いずれも中立位置に切り換えられており、ミラーの視覚調整は行われない。また、ノブ１が回転方向の中央位置にある場合には、左右ミラーの切換スイッチも中立位置に切り換えられており、左右ミラーの切換操作も行われない。
【００３１】
この状態からノブ１を図１に示す「Ｌ」の方向に４５度回転操作すると、その回転力が操作軸３を介してスライダ１０に伝達され、左ミラー視角調整用スイッチの固定接点の設定位置にスライダ１０に備えられた可動接点１１が移動し、左ミラーの視角調整を行なえる状態になる。また、回転方向の中央位置からノブ１を図１に示す「Ｒ」の方向に４５度回転操作すると、その回転力が操作軸３を介してスライダ１０に伝達され、右ミラー視角調整用スイッチの固定接点の設定位置にスライダ１０に備えられた可動接点１１が移動し、右ミラーの視角調整を行なえる状態になる。なお、ノブ１の回転操作時には、操作軸３と共に軸受部４が回転し、コイルスプリング５によって付勢されたボール７がケース２に形成された各節度部２ｃ間を移動するので、ユーザはその際に生じるクリック感を感得することができ、良好な使用感のもとに左右ミラーの切換操作を確実に行うことができる。また、ノブ１から手を離すと、ノブ１はその位置で保持される。
【００３２】
前述のようにノブ１を回転方向の中央位置から左方向又は右方向に４５度回転操作した状態で、ノブ１を上方向に揺動操作すると、アクチュエータ９の先端部がカム部１５ｃの底部４１から第１傾斜面４２に沿って上昇し、図９（ｂ）に示すように、山型の段部５０を越えて第２傾斜面４６に至る。そして、アクチュエータ９の先端部が第２傾斜面４６上の操作端部に至ったとき、操作軸３の揺動操作に伴ってスライド動作されたスライダ１０の可動接点１１が視角上向き調整用スイッチの固定接点の設定位置に移動し、ミラーの視角が上向きに調整される。なお、アクチュエータ９の先端部が山型の段部５０を越えたとき、それに伴うクリック感触がアクチュエータ９及び操作軸３を介してノブ１に伝達されるので、ユーザはそ良好な使用感のもとに左右ミラーの視角調整を行うことができる。この状態より、ユーザがノブ１から手を離すと、アクチュエータ９はコイルスプリング８の弾性力によって第２傾斜面４６、山型の段部５０及び第１傾斜面４２を滑り降り、カム部１５ｃの底部４１に自動的に復帰する。
同様に、ノブ１を下方向に揺動操作すると、アクチュエータ９の先端部がカム部１５ｃの底部４１から第１傾斜面４３に沿って上昇し、山型の段部５１を越えて第２傾斜面４７に至り、ミラーの視角が下向きに調整される。また、ノブ１を左方向に揺動操作すると、アクチュエータ９の先端部がカム部１５ｃの底部４１から第１傾斜面４４に沿って上昇し、山型の段部５２を越えて第２傾斜面４８に至り、ミラーの視角が左向きに調整される。また、ノブ１を右方向に揺動操作すると、アクチュエータ９の先端部がカム部１５ｃの底部４１から第１傾斜面４５に沿って上昇し、山型の段部５３を越えて第２傾斜面４９に至り、ミラーの視角が左向きに調整される。
【００３３】
次に、ノブ１に表示された絵文字１７の照光方法について説明すると、発光素子１４から放射された光は、図６に示すように、操作軸３に形成された大径角柱部３２ｂの側面３２ｂ１から入射される。この側面３２ｂ１は光路に対して直交する配置となっていて発光素子１４からの光を効率よく入射できる。入射した光は、頂点を下にした円錐形状の反射面３６によって上方に反射され、ノブ１の絵文字１７を充分な照度で満遍なく照光する。そして、例えば、上述のように右方向にノブ１を４５度回転させると、操作軸３は４５度回転して、操作軸３の八角柱形状の大径角柱部３２ｂの隣の側面３２ｂ２が、再び光路に対して直交する配置となる。したがって、操作軸３が回転しても、発光素子１４から光を効率よく入射できてノブ１の絵文字１７を充分な照度で照光できる。さらに、操作軸３を揺動させたときにも、操作軸３内に入射した光は操作軸３の円柱部３１の外周面に反射されてノブ１の絵文字１７を充分な照度で照光できる。
【００３４】
なお、発光素子１４は、スイッチの切換操作に関係なく点灯させることもできるし、特定のスイッチがオン操作されたときにのみ選択的に点灯させることもできる。
【００３５】
本例の多方向スイッチは、所要の底部４１、第１傾斜面４２，４３，４４，４５、第２傾斜面４６，４７，４８，４９及び山型の段部５０，５１，５２，５３を有する１つのカム部１５ｃを備えるだけで多方向に揺動する操作軸の操作に所要の操作感触を付与することができるので、多方向スイッチの組立を効率的に行うことができ、多方向スイッチの組立コストを低減することができる。また、カム部１５ｃの成形は１〜４個取りの金型を用いて行われるので、クリックフィーリングの調整を行う際の金型の改修が容易であり、金型コストの低減も図ることができる。さらに、改修部を入れ子方式とすれば、金型形状を元に戻すことも容易に行える。したがって、従来技術に比べて製品である多方向スイッチの低コスト化を図ることができる。
【００３６】
また、本例の多方向スイッチは、操作軸３を透光性材料より成形し、操作軸３に外部より入射された光を端面方向に導く導光路を設けたので、導光路を通って操作軸３の端面に導かれた光を当該操作軸３の一端に取り付けられたノブ１に導くことができ、ノブ１に表示された絵文字１７等を照光することができるので、照光式の電気装置に適する。
【００３７】
さらに、本例の多方向スイッチは、操作軸３を軸受部４に揺動自在かつ回転自在に支持したので、操作軸３の揺動操作のみならず、操作軸３の回転操作によっても接点の切替操作を行うことができ、多方向スイッチのより一層の多機能化を図ることができる。
【００３８】
なお、前記実施形態例においては、本発明の多方向スイッチを車載用パワーミラー装置に適用した場合を例にとって説明したが、本発明の要旨はこれに限定されるものではなく、その他の用途に適用することも勿論可能である。
【００３９】
また、前記実施形態例においては、弾性部材としてコイルスプリング５，８，１２を備えたが、本発明の要旨はこれに限定されるものではなく、公知に属する任意の他の弾性部材を用いることも可能である。
【００４０】
さらに、前記実施形態例においては、カム部１５ｃをウエハ１５と一体に成形したが、本発明の要旨はこれに限定されるものではなく、カム部１５ｃとウエハ１５とをそれぞれ別体に成形し、ウエハ１５の所定の位置にカム部１５ｃを後付けすることもできる。
【００４１】
【発明の効果】
以上説明したように、本発明によると、所要の底部、第１傾斜面、第２傾斜面及び山型の段部を有する１つのカム部を備えるだけで多方向に揺動する操作軸の操作に所要の操作感触を付与することができるので、多方向スイッチの組立を効率的に行うことができ、多方向スイッチの組立コストを低減することができる。また、カム部の成形は１〜４個取りの金型を用いて行われるので、クリックフィーリングの調整を行う際の金型の改修が容易であり、金型コストの低減も図ることができる。さらに、改修部を入れ子方式とすれば、金型形状を元に戻すことも容易に行える。したがって、従来技術に比べて製品である多方向スイッチの低コスト化を図ることができる。
【図面の簡単な説明】
【図１】実施形態例に係る多方向スイッチの平面図である。
【図２】図１のＡ−Ａ線に沿った断面図である。
【図３】図１のＢ−Ｂ線に沿った断面図である。
【図４】実施形態例に係る多方向スイッチの分解斜視図である。
【図５】実施形態例に係る多方向スイッチに備えられる操作軸の各部の構成を示す説明図である。
【図６】実施形態例に係る多方向スイッチに備えられる操作軸の機能を示す説明図である。
【図７】実施形態例に係る多方向スイッチに備えられるカム部の平面図である。
【図８】図７のＣ−Ｃ線に沿った断面図である。
【図９】実施形態例に係る多方向スイッチの動作を示す説明図である。
【符号の説明】
３  操作軸
９  アクチュエータ
１０  スライダ
１４  発光素子（光源）
１５ｃ  カム部
１７  絵文字部（表示部）
３２ｂ１、３２ｂ２  側面（入射面）
３６  反射面
４１  底部
４２，４３，４４，４５  第１傾斜面
４６，４７，４８，４９  第２傾斜面
５０，５１，５２，５３  山型の段部
【図１】
2005044582.tif 000003
【図２】
2005044582.tif 000004
【図３】
2005044582.tif 000005
【図４】
2005044582.tif 000006
【図５】
2005044582.tif 000007
【図６】
2005044582.tif 000008
【図７】
2005044582.tif 000009
【図８】
2005044582.tif 000010
【図９】
2005044582.tif 000011